(57)【要約】【課題】簡易な構成で排気の流路を形成することができる蓄電装置を提供する。【解決手段】１以上の蓄電素子２００と、１以上の蓄電素子２００の外方に配置される外装体１４とを備える蓄電装置であって、１以上の蓄電素子２００のうちのいずれかの蓄電素子２００に設けられた安全弁２２１を備え、外装体１４は、安全弁２２１からの排気である第一排気を、または、隣り合う蓄電装置が備える安全弁からの排気である第二排気を通過させる開口部がそれぞれ形成された２つの外面を有する。【選択図】図５
2015195137.tif 000002
【特許請求の範囲】
【請求項１】
１以上の蓄電素子と、前記１以上の蓄電素子の外方に配置される外装体とを備える蓄電装置であって、
前記１以上の蓄電素子のうちのいずれかの蓄電素子に設けられた安全弁を備え、
前記外装体は、前記安全弁からの排気である第一排気を、または、隣り合う蓄電装置が備える安全弁からの排気である第二排気を通過させる開口部がそれぞれ形成された２つの外面を有する
蓄電装置。
【請求項２】
前記２つの外面のうちの第一面に形成された開口部は、
前記第二排気を排出することなく前記第一排気を排出する第一開口部と、
前記第一排気を排出することなく前記第二排気を排出する、または、前記第一排気若しくは前記第二排気を受け入れる第二開口部とを有する
請求項１に記載の蓄電装置。
【請求項３】
前記２つの外面のうちの第二面に形成された開口部は、
前記隣り合う蓄電装置に隣り合う蓄電装置が備える安全弁からの排気である第三排気を受け入れることなく前記第二排気を受け入れる第三開口部と、
前記第二排気を受け入れることなく前記第三排気を受け入れる、または、前記第一排気若しくは前記第二排気を排出する第四開口部とを有する
請求項１または２に記載の蓄電装置。
【請求項４】
前記２つの外面のうちの第一面に形成された開口部と、第二面に形成された開口部とは、対応する位置に形成されており、
前記第一面または前記第二面は、前記隣り合う蓄電装置が備える第二面または第一面と対向するように配置される
請求項１〜３のいずれか１項に記載の蓄電装置。
【請求項５】
前記外装体は、前記２つの外面が設けられた蓋体を有し、
前記蓋体は、前記１以上の蓄電素子の前記安全弁側に配置され、前記１以上の蓄電素子の前記安全弁側への移動を規制する
請求項１〜４のいずれか１項に記載の蓄電装置。
【請求項６】
さらに、
前記１以上の蓄電素子のうちの少なくとも１つの蓄電素子に電気的に接続される電気機器を備え、
前記外装体は、前記電気機器を保持する
請求項１〜５のいずれか１項に記載の蓄電装置。
【請求項７】
前記外装体は、前記２つの外面に形成されたいずれかの開口部と前記電気機器との間に配置される壁部を有する
請求項６に記載の蓄電装置。
【請求項８】
前記外装体は、隣り合う蓄電装置が備える外装体と外面同士が当接するように配置される
請求項１〜７のいずれか１項に記載の蓄電装置。
【請求項９】
前記第一排気を通過させる開口部が形成された外面は、前記蓄電装置外方の排気口に対向する位置に配置される
請求項１〜８のいずれか１項に記載の蓄電装置。
【発明の詳細な説明】
【技術分野】
【０００１】
本発明は、１以上の蓄電素子と、当該１以上の蓄電素子の外方に配置される外装体とを備える蓄電装置に関する。
【背景技術】
【０００２】
蓄電素子を備える蓄電装置において、蓄電素子の安全弁などからの排気の流路が形成された構成が知られている。ここで、複数の蓄電装置が配置された場合には、全ての蓄電装置からの排気を排出できるような流路が必要になる。
【０００３】
このため、複数の蓄電装置からの排気を排出する流路を形成することができる構成が提案されている（例えば、特許文献１参照）。この構成においては、複数のバッテリ（蓄電装置）間を三又ジョイントまたは四又ジョイントなどのジョイントで繋ぐことで、バッテリからのガスの流路を形成している。
【先行技術文献】
【特許文献】
【０００４】
【特許文献１】特開平１０−１４９８０６号公報
【発明の概要】
【発明が解決しようとする課題】
【０００５】
しかしながら、上記従来の構成では、複数の蓄電装置をジョイントで繋いで排気の流路を形成しているため、当該排気の流路を形成するための構成が複雑になるという問題がある。
【０００６】
本発明は、上記問題を解決するためになされたものであり、簡易な構成で排気の流路を形成することができる蓄電装置を提供することを目的とする。
【課題を解決するための手段】
【０００７】
上記目的を達成するために、本発明の一態様に係る蓄電装置は、１以上の蓄電素子と、前記１以上の蓄電素子の外方に配置される外装体とを備える蓄電装置であって、前記１以上の蓄電素子のうちのいずれかの蓄電素子に設けられた安全弁を備え、前記外装体は、前記安全弁からの排気である第一排気を、または、隣り合う蓄電装置が備える安全弁からの排気である第二排気を通過させる開口部がそれぞれ形成された２つの外面を有する。
【０００８】
これによれば、蓄電装置において、外装体は、蓄電素子の安全弁からの排気である第一排気、または、隣り合う蓄電装置が備える安全弁からの排気である第二排気を通過させる開口部がそれぞれ形成された２つの外面を有している。つまり、隣り合う２つの蓄電装置について、開口部が形成された外面同士を開口部同士が対向するように隣接させて配置することで、排気の経路を形成することができる。このため、蓄電装置間にジョイントなどの部材を配置する必要が無く、簡易な構成で排気の流路を形成することができる。
【０００９】
また、前記２つの外面のうちの第一面に形成された開口部は、前記第二排気を排出することなく前記第一排気を排出する第一開口部と、前記第一排気を排出することなく前記第二排気を排出する、または、前記第一排気若しくは前記第二排気を受け入れる第二開口部とを有することにしてもよい。
【００１０】
これによれば、蓄電装置において、第一面には、第一排気を主に排出する第一開口部が形成されているため、第一排気を効率的に排出する流路を形成することができる。また、第一面には、第一排気の排出以外に使用される第二開口部が形成されているため、第一排気の排出以外の目的での排気を効率的に通過させる流路を形成することができる。
【００１１】
また、前記２つの外面のうちの第二面に形成された開口部は、前記隣り合う蓄電装置に隣り合う蓄電装置が備える安全弁からの排気である第三排気を受け入れることなく前記第二排気を受け入れる第三開口部と、前記第二排気を受け入れることなく前記第三排気を受け入れる、または、前記第一排気若しくは前記第二排気を排出する第四開口部とを有する
ことにしてもよい。
【００１２】
これによれば、蓄電装置において、第二面には、第二排気を主に受け入れる第三開口部と、第二排気の受け入れ以外に使用される第四開口部とが形成されているため、第二排気の受け入れと、第二排気の受け入れ以外とを区別して、排気を効率的に通過させる流路を形成することができる。
【００１３】
また、前記２つの外面のうちの第一面に形成された開口部と、第二面に形成された開口部とは、対応する位置に形成されており、前記第一面または前記第二面は、前記隣り合う蓄電装置が備える第二面または第一面と対向するように配置されることにしてもよい。
【００１４】
これによれば、蓄電装置において、第一面または第二面に形成された開口部と、隣り合う蓄電装置が備える第二面または第一面に形成された開口部とは、対応する位置に形成されているため、当該第一面と第二面とが対向することで、開口部同士が接続される。これにより、簡易な構成で排気の流路を形成することができる。
【００１５】
また、前記外装体は、前記２つの外面が設けられた蓋体を有し、前記蓋体は、前記１以上の蓄電素子の前記安全弁側に配置され、前記１以上の蓄電素子の前記安全弁側への移動を規制することにしてもよい。
【００１６】
これによれば、外装体は、蓋体を有しており、当該蓋体によって排気の流路を形成することができるため、簡易な構成で排気の流路を形成することができる。また、外装体は、蓋体によって、蓄電素子を上方から押さえ付けることができるため、振動や衝撃などによって蓄電素子が外装体内で揺れるのを抑制することができる。
【００１７】
また、さらに、前記１以上の蓄電素子のうちの少なくとも１つの蓄電素子に電気的に接続される電気機器を備え、前記外装体は、前記電気機器を保持することにしてもよい。
【００１８】
これによれば、外装体は、電気機器を保持する機能も兼ね備えることができる。
【００１９】
また、前記外装体は、前記２つの外面に形成されたいずれかの開口部と前記電気機器との間に配置される壁部を有することにしてもよい。
【００２０】
これによれば、外装体は、開口部と電気機器との間に壁部を有しているため、開口部から高温の排気が流入してきても、当該壁部によって、当該排気の熱が電気機器へ与える影響を抑制することができる。
【００２１】
また、前記外装体は、隣り合う蓄電装置が備える外装体と外面同士が当接するように配置されることにしてもよい。
【００２２】
これによれば、隣り合う蓄電装置は、外装体の外面同士が当接するように配置されるため、隣り合う蓄電装置間に、安全弁からの排気を通過させる配管などを配置する必要がない。このため、簡易な構成で、蓄電装置を配置することができる。
【００２３】
また、前記第一排気を通過させる開口部が形成された外面は、前記蓄電装置外方の排気口に対向する位置に配置されることにしてもよい。
【００２４】
これによれば、第一排気を通過させる開口部が形成された外面は、蓄電装置外方の排気口に対向する位置に配置される。このため、第一排気は、流れの向きを当該開口部の開口方向に変えて排出されるが、当該開口部を排出された後は、流れの向きを変えずにスムーズに排気口まで流れ出ることができる。
【００２５】
また、前記蓋体は、前記２つの外面が設けられた第一蓋体と、前記第一蓋体と前記１以上の蓄電素子との間に配置され、前記１以上の蓄電素子の前記安全弁側への移動を規制する第二蓋体とを有することにしてもよい。
【００２６】
これによれば、排気の流路を形成する第一蓋体と、蓄電素子を上方から押さえ付ける第二蓋体の２つの部材に分けて蓋体を構成することで、簡易な構成で蓋体を形成することができる。
【００２７】
また、前記壁部は、前記電気機器の外周を囲うように環状に配置されることにしてもよい。
【００２８】
これによれば、壁部は、電気機器の周りを囲うように配置されているため、開口部から流入する高温の排気の熱が電気機器へ与える影響をさらに抑制することができる。
【発明の効果】
【００２９】
本発明における蓄電装置によれば、簡易な構成で排気の流路を形成することができる。
【図面の簡単な説明】
【００３０】
【図１】本発明の実施の形態に係る蓄電装置の外観を示す斜視図である。
【図２】本発明の実施の形態に係る蓄電装置を分解した場合の各構成要素を示す分解斜視図である。
【図３】本発明の実施の形態に係る単位モジュールを分解した場合の各構成要素を示す分解斜視図である。
【図４】本発明の実施の形態に係る蓄電素子を内部を透視して示す斜視図である。
【図５】本発明の実施の形態に係る第一蓋体の構成を示す斜視図である。
【図６】本発明の実施の形態に係る単位モジュールを上下方向に切断した場合の構成を示す断面図である。
【図７】本発明の実施の形態に係る単位モジュールを上方から見た場合の構成を示す平面図である。
【図８】本発明の実施の形態に係るモジュール群を上方から見た場合の構成を示す平面図である。
【図９】本発明の実施の形態に係る複数の蓄電装置が配置された状態を上方から見た場合の構成を示す平面図である。
【図１０】本発明の実施の形態の変形例１に係る第一蓋体の構成を示す斜視図である。
【図１１】本発明の実施の形態の変形例２に係る第一蓋体の構成を示す斜視図である。
【図１２】本発明の実施の形態の変形例３に係る第一蓋体の構成を示す斜視図である。
【図１３】本発明の実施の形態の変形例４に係る第一蓋体の構成を示す平面図である。
【図１４】本発明の実施の形態の変形例５に係る第一蓋体の構成を示す斜視図である。
【発明を実施するための形態】
【００３１】
以下、図面を参照しながら、本発明の実施の形態に係る蓄電装置について説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００３２】
（実施の形態）
まず、蓄電装置１の構成について、説明する。
【００３３】
図１は、本発明の実施の形態に係る蓄電装置１の外観を示す斜視図である。また、図２は、本発明の実施の形態に係る蓄電装置１を分解した場合の各構成要素を示す分解斜視図である。
【００３４】
なお、これらの図では、Ｚ軸方向を上下方向として示しており、以下ではＺ軸方向を上下方向として説明するが、使用態様によってはＺ軸方向が上下方向にならない場合も考えられるため、Ｚ軸方向は上下方向となることには限定されない。以下の図においても、同様である。
【００３５】
蓄電装置１は、外部からの電気を充電し、また外部へ電気を放電することができる装置である。例えば、蓄電装置１は、電力貯蔵用途や電源用途などに使用される高電圧の電池モジュールである。
【００３６】
これらの図に示すように、蓄電装置１は、複数の単位モジュール１１、１２及び１３を有するモジュール群１０、下側連結部材２０及び上側連結部材３０を備えている。なお、蓄電装置１は、１つの単位モジュールしか備えていない構成でもかまわない。また、蓄電装置１は、例えばＸ軸方向プラス側の端部に、モジュール群１０の内方に冷却媒体（空気等）を流入させる冷却用のファンなどの冷却装置を備えている構成でもかまわない。
【００３７】
モジュール群１０は、Ｘ軸方向に一列に並ぶ複数の単位モジュール１１、１２及び１３を備えている。また、単位モジュール１１には、後述する正極外部端子のカバーである正極外部端子カバー１１ａと、後述する負極外部端子のカバーである負極外部端子カバー１１ｂとが設けられている。蓄電装置１は、この正極外部端子カバー１１ａ内の正極外部端子と、負極外部端子カバー１１ｂ内の負極外部端子とを介して、外部からの電気を充電し、また外部へ電気を放電する。
【００３８】
単位モジュール１１、１２及び１３は、１以上の蓄電素子を外装体１４に収容した矩形状のモジュールであり、それぞれ同様の構成を有している。また、単位モジュール１１、１２及び１３のうちの隣り合う単位モジュールの正極端子と負極端子とが電気的に接続されることで、単位モジュール１１、１２及び１３内の全ての蓄電素子が直列に接続されている。この単位モジュール１１、１２及び１３の詳細な構成についての説明は、後述する。なお、単位モジュール１１、１２または１３を、蓄電装置とも呼ぶ。
【００３９】
下側連結部材２０及び上側連結部材３０は、複数の単位モジュール１１、１２及び１３を連結する部材であり、下側連結部材２０は下側の連結部材、上側連結部材３０は、上側の連結部材である。つまり、下側連結部材２０と上側連結部材３０とで単位モジュール１１、１２及び１３を挟み込むように固定することで、単位モジュール１１、１２及び１３を連結する。
【００４０】
具体的には、下側連結部材２０及び上側連結部材３０は、平板状の部材であり、例えば金属などによって形成されている。これにより、単位モジュール１１、１２及び１３を強固に安定して固定することができる。また、下側連結部材２０には、複数の単位モジュール１１、１２及び１３のそれぞれが有する外装体１４が載置される。
【００４１】
次に、モジュール群１０に含まれる単位モジュール１１、１２及び１３の詳細な構成について、説明する。なお、単位モジュール１１、１２及び１３はそれぞれ同様の構成を有するため、以下では単位モジュール１１についての説明を行い、単位モジュール１２及び１３の構成の説明については省略する。
【００４２】
図３は、本発明の実施の形態に係る単位モジュール１１を分解した場合の各構成要素を示す分解斜視図である。
【００４３】
同図に示すように、単位モジュール１１は、外装体本体１００と第一蓋体５００と第二蓋体３００と第三蓋体７００とからなる外装体１４、及び、外装体１４に収容される複数の蓄電素子２００（同図では４つの蓄電素子２００）と基板６００などを備えている。なお、外装体１４内に収容される蓄電素子２００は、複数でなくともよく、１つの蓄電素子２００しか収容されていない構成でもかまわない。
【００４４】
外装体１４は、蓄電素子２００の外方に配置される、単位モジュール１１の外装体を構成する矩形状（箱状）の容器（モジュールケース）である。外装体１４は、複数の蓄電素子２００や基板６００などを所定の位置に配置し、複数の蓄電素子２００や基板６００などを衝撃などから保護する。また、外装体１４は、例えばポリカーボネートやポリプロピレン（ＰＰ）等の樹脂などの絶縁性の材料により構成されており、蓄電素子２００や基板６００などが外部の金属部材などに接触することを回避する。
【００４５】
ここで、外装体１４は、外装体本体１００と、第一蓋体５００と、第二蓋体３００と、第三蓋体７００とを有している。外装体本体１００は、外装体１４の本体を構成する部材であり、第一蓋体５００、第二蓋体３００及び第三蓋体７００は、外装体１４の蓋体を構成する部材である。また、第一蓋体５００及び第二蓋体３００は、外装体１４の内蓋を構成する部材であり、第三蓋体７００は、外装体１４の外蓋を構成する部材である。
【００４６】
外装体本体１００は、上部に開口部が形成された有底矩形筒状の部材であり、当該上部の開口部から、複数の蓄電素子２００が挿入され収容される。また、外装体本体１００の外面には、蓄電素子２００から発せられる熱を外装体本体１００の外部へ放熱するために、複数の矩形状の開口部が内周に沿って環状に形成されている。また、外装体本体１００の向かい合う２つの外面には、後述する蓄電素子２００の安全弁２２１からの排気を通過させる外装体本体開口部１２１及び１２２が形成されている。
【００４７】
また、外装体本体１００の内方には、仕切部材１１０が配置されている。
【００４８】
仕切部材１１０は、単位モジュール１１が備える蓄電素子２００のうちのいずれかの蓄電素子２００の側方に配置される部材である。つまり、仕切部材１１０は、隣り合う２つの蓄電素子２００の間に配置され、当該２つの蓄電素子２００間を仕切る板状部材である。本実施の形態では、４つの蓄電素子２００の間に、３枚の仕切部材１１０が配置されている。
【００４９】
ここで、仕切部材１１０は、断熱性を有する部材であり、例えばマイカから構成される断熱材などによって形成されている。具体的には、仕切部材１１０を形成する断熱材の一例として、マイカ片を集積し、結合することで構成されるダンマ材が挙げられる。つまり、仕切部材１１０は、蓄電素子２００から発せられる熱が隣り合う蓄電素子２００に伝わるのを抑制する機能を有している。
【００５０】
蓄電素子２００は、電気を充電し、また、電気を放電することのできる二次電池（単電池）であり、より具体的には、リチウムイオン二次電池などの非水電解質二次電池である。蓄電素子２００は、外装体本体１００の内方の２つの仕切部材１１０の間、または仕切部材１１０と外装体本体１００の壁面との間に配置され、外装体本体１００内に収容される。
【００５１】
また、それぞれの蓄電素子２００は、上面に安全弁２２１を備えている。つまり、それぞれの蓄電素子２００は、安全弁２２１が上方に向くように外装体本体１００内に収容されており、内圧が上昇した場合に、安全弁２２１から上方へ向けてガスを放出する。なお、単位モジュール１１が備える蓄電素子２００のうちの全ての蓄電素子２００が安全弁２２１を備えていることには限定されず、少なくとも１つの蓄電素子２００が安全弁２２１を備えていればよい。
【００５２】
また、蓄電素子２００は、非水電解質二次電池には限定されず、非水電解質二次電池以外の二次電池であってもよいし、キャパシタであってもよい。蓄電素子２００の詳細な説明は、後述する。
【００５３】
第二蓋体３００は、扁平な矩形状の部材であり、複数の蓄電素子２００の上方に配置される。つまり、第二蓋体３００は、蓄電素子２００と第一蓋体５００との間に配置されている。具体的には、第二蓋体３００は、複数の蓄電素子２００に跨るように、当該複数の蓄電素子２００と第一蓋体５００との間に配置された部材である。
【００５４】
また、第二蓋体３００は、蓄電素子２００の安全弁２２１と対向する位置に、第二蓋体開口部３１０を有している。つまり、第二蓋体３００には、４つの蓄電素子２００の安全弁２２１に対応して、４つの第二蓋体開口部３１０が形成されている。
【００５５】
第二蓋体開口部３１０は、蓄電素子２００の安全弁２２１よりも大きく形成された円形状の貫通孔であり、安全弁２２１からガスが排出された場合に、当該ガスを第二蓋体３００の下方から上方へ通過させる。なお、第二蓋体開口部３１０は、２つ以上の安全弁２２１に対応した大きな貫通孔であってもよいし、貫通孔ではなく切り欠きなどであってもよい。
【００５６】
このように、第二蓋体３００は、蓄電素子２００の安全弁２２１側に配置されており、外装体本体１００内での蓄電素子２００の安全弁２２１側への移動を規制する機能も有している。つまり、第二蓋体３００は、外装体本体１００の内方に嵌め込まれ、複数の蓄電素子２００を上方から押さえ込むことで、複数の蓄電素子２００を外装体本体１００に固定する。
【００５７】
また、第二蓋体３００には、正極外部端子４１０、負極外部端子４２０、バスバー４３０、外部配線接続部４４０及び配線経路形成部４５０が配置されている。
【００５８】
正極外部端子４１０は、図２に示された正極外部端子カバー１１ａ内に配置される正極側の外部端子であり、負極外部端子４２０は、図２に示された負極外部端子カバー１１ｂ内に配置される負極側の外部端子である。正極外部端子４１０及び負極外部端子４２０は、蓄電装置１が外部からの電気を充電し、また外部へ電気を放電するための電極端子である。つまり、蓄電装置１は、正極外部端子４１０及び負極外部端子４２０を介して、外部からの電気を充電し、また外部へ電気を放電する。
【００５９】
バスバー４３０は、第二蓋体３００の上方に配置される部材である。バスバー４３０は、金属など導電性の部材であり、複数の蓄電素子２００同士を電気的に接続する。具体的には、バスバー４３０は、隣り合う蓄電素子２００において、一の蓄電素子２００の正極端子または負極端子と、他の蓄電素子２００の負極端子または正極端子とを接続する。
【００６０】
外部配線接続部４４０は、外部の配線に接続されるコネクタであり、外部の配線と、複数の蓄電素子２００のうちの少なくとも１つの蓄電素子２００に接続される配線とを接続する。
【００６１】
配線経路形成部４５０は、２つの単位モジュール間に２つの単位モジュールの間を跨ぐように配置され、２つの単位モジュール間を跨る配線を通すための配線経路を形成する部材である。
【００６２】
第一蓋体５００は、扁平な矩形状の部材であり、第二蓋体３００の上方に配置される。つまり、第一蓋体５００は、第二蓋体３００と第三蓋体７００との間に配置されており、蓄電素子２００の安全弁２２１からの排気の流路を形成する。具体的には、第一蓋体５００は、蓄電素子２００の安全弁２２１からの排気を通過させる開口部がそれぞれ形成された２つの外面を有しており、安全弁２２１からの排気を外方へ導く。
【００６３】
また、第一蓋体５００は、後述の基板６００を保持する。つまり、第一蓋体５００は、基板６００の安全弁２２１側の面を覆うように配置されている。このように、第一蓋体５００は、蓄電素子２００の安全弁２２１からの排気の流路を形成するとともに、基板６００を保持し、また、基板６００を安全弁２２１の排気から保護する機能も有している。なお、第一蓋体５００の詳細な説明は、後述する。
【００６４】
基板６００は、単位モジュール１１が備える蓄電素子２００のうちの少なくとも１つの蓄電素子２００に電気的に接続される電気機器である。具体的には、基板６００は、複数の蓄電素子２００の状態を取得し、監視し、制御することのできる基板であり、配線（リード線）によって複数の蓄電素子２００の正極端子または負極端子に接続されている。
【００６５】
具体的には、基板６００は、複数の蓄電素子２００の充電状態や放電状態（電圧、温度などの電池状態）などを監視するための制御基板である。基板６００には、例えば、当該監視を行ったり、リレーのオン、オフを制御したり、他の機器と通信を行ったりするための制御回路（図示せず）が設けられている。
【００６６】
また、基板６００は、第一蓋体５００上に配置され、かつ、第三蓋体７００に覆われるように配置されている。つまり、基板６００は、第一蓋体５００と第三蓋体７００とで挟まれることで、第一蓋体５００と第三蓋体７００とに保護されるように配置されている。また、このように、上部に電装部品を一体化させることで、蓄電装置１の組立性及びメンテナンス性が向上する。
【００６７】
なお、基板６００は、各単位モジュールに備えられていなくともよく、例えば単位モジュール１１にのみ備えられている構成でもかまわない。また、単位モジュールは、電気機器として、基板６００ではなく、ヒューズなど他の電気機器を第一蓋体５００上に配置している構成でもかまわない。
【００６８】
第三蓋体７００は、外装体本体１００の開口を塞ぐ扁平な矩形状の部材である。具体的には、外装体本体１００内方に、複数の蓄電素子２００、第二蓋体３００、第一蓋体５００、基板６００等の順に配置され、外装体本体１００の開口部が第三蓋体７００で閉止される。このように、重量物である複数の蓄電素子２００を最下部に配置することで、単位モジュール１１の安定性が向上する。
【００６９】
次に、蓄電素子２００の構成について、詳細に説明する。
【００７０】
図４は、本発明の実施の形態に係る蓄電素子２００を内部を透視して示す斜視図である。
【００７１】
同図に示すように、蓄電素子２００は、容器２１０、正極端子２３０及び負極端子２４０を備え、容器２１０は、上壁である容器蓋部２２０を備えている。また、容器２１０内方には、電極体２５０、正極集電体２６０及び負極集電体２７０が配置されており、容器蓋部２２０には安全弁２２１が形成されている。なお、容器２１０の内部には電解液などの液体が封入されているが、当該液体の図示は省略する。
【００７２】
容器２１０は、金属からなる矩形筒状で底を備える筐体本体と、当該筐体本体の開口を閉塞する金属製の容器蓋部２２０とで構成されている。また、容器２１０は、電極体２５０等を内部に収容後、容器蓋部２２０と筐体本体とが溶接等されることにより、内部を密封することができるものとなっている。なお、容器２１０の材質は、特に限定されないが、例えばステンレス鋼やアルミニウムなど溶接可能な金属であるのが好ましい。
【００７３】
電極体２５０は、正極と負極とセパレータとを備え、電気を蓄えることができる発電要素である。具体的には、電極体２５０は、正極と負極との間にセパレータが挟み込まれるように層状に配置されたものを全体が長円形状となるように巻回されて形成された巻回型の電極体である。なお、電極体２５０は、平板状極板を積層した積層型の電極体であってもかまわない。
【００７４】
ここで、正極は、アルミニウムまたはアルミニウム合金などからなる長尺帯状の導電性の正極集電箔の表面に正極活物質層が形成された電極板であり、負極は、銅または銅合金などからなる長尺帯状の導電性の負極集電箔の表面に負極活物質層が形成された電極板であり、セパレータは、微多孔性のシートである。なお、蓄電素子２００に用いられる正極、負極及びセパレータは、特に従来用いられてきたものと異なるところはなく、蓄電素子２００の性能を損なうものでなければ適宜公知の材料を使用できる。また、容器２１０に封入される電解液（非水電解質）としても、蓄電素子２００の性能を損なうものでなければその種類に特に制限はなく様々なものを選択することができる。
【００７５】
正極端子２３０は、正極集電体２６０を介して、電極体２５０の正極に電気的に接続された電極端子であり、負極端子２４０は、負極集電体２７０を介して、電極体２５０の負極に電気的に接続された電極端子であり、いずれも容器蓋部２２０に取り付けられている。つまり、正極端子２３０及び負極端子２４０は、電極体２５０に蓄えられている電気を蓄電素子２００の外部空間に導出し、また、電極体２５０に電気を蓄えるために蓄電素子２００の内部空間に電気を導入するための金属製の電極端子である。
【００７６】
具体的には、蓄電装置１に備えられた複数の蓄電素子２００のうち正極外部端子４１０側に配置された蓄電素子２００の正極端子２３０が正極外部端子４１０と接続され、当該蓄電素子２００の負極端子２４０は、隣り合う蓄電素子２００の正極端子２３０と接続される。また同様に、当該複数の蓄電素子２００のうち負極外部端子４２０側に配置された蓄電素子２００の負極端子２４０が負極外部端子４２０と接続され、当該蓄電素子２００の正極端子２３０は、隣り合う蓄電素子２００の負極端子２４０と接続される。また、その他の蓄電素子２００の正極端子２３０または負極端子２４０は、隣り合う蓄電素子２００の負極端子２４０または正極端子２３０と接続される。
【００７７】
正極集電体２６０は、電極体２５０の正極と容器２１０の側壁との間に配置され、正極端子２３０と正極とに電気的に接続される導電性と剛性とを備えた部材である。なお、正極集電体２６０は、正極の正極集電箔と同様、アルミニウムまたはアルミニウム合金などで形成されている。また、負極集電体２７０は、電極体２５０の負極と容器２１０の側壁との間に配置され、負極端子２４０と電極体２５０の負極とに電気的に接続される導電性と剛性とを備えた部材である。なお、負極集電体２７０は、負極の負極集電箔と同様、銅または銅合金などで形成されている。
【００７８】
次に、第一蓋体５００について、詳細に説明する。図５は、本発明の実施の形態に係る第一蓋体５００の構成を示す斜視図である。
【００７９】
同図に示すように、第一蓋体５００は、底面部５１０と、側面部５２０と、壁部５３０と、排気経路形成部５４０とを有している。
【００８０】
底面部５１０は、第一蓋体５００の底面を形成する矩形状かつ平板状の部位である。底面部５１０には、配線用開口部５１１及び排気用開口部５４１が形成されるとともに、基板用突起部５１２が設けられている。
【００８１】
配線用開口部５１１は、蓄電素子２００の正極端子または負極端子に接続されたリード線などの配線を基板６００に接続するために、当該配線が挿入される貫通孔である。つまり、当該配線を配線用開口部５１１に挿入させて、底面部５１０の下方の蓄電素子２００と底面部５１０の上方の基板６００とを接続する。なお、配線用開口部５１１の大きさ及び形状は、当該配線が挿入できるものであれば特に限定されない。
【００８２】
排気用開口部５４１は、蓄電素子２００の安全弁２２１からの排気が通過する貫通孔である。本実施の形態では、排気用開口部５４１は、矩形状の貫通孔であるが、排気用開口部５４１の形状は四角形以外の多角形状、円形状または楕円形状など、どのような形状であってもかまわない。また、排気用開口部５４１は、上側の開口が後述の排気経路形成部５４０によって覆われている。
【００８３】
基板用突起部５１２は、基板６００を載置するための突起である。本実施の形態では、６つの基板用突起部５１２が設けられており、それぞれの基板用突起部５１２が基板６００に形成された貫通孔に挿入されて、基板６００が底面部５１０上に載置され、固定される。なお、基板用突起部５１２の個数及び形状は特に限定されず、基板６００を底面部５１０上に載置し固定できればよい。
【００８４】
側面部５２０は、第一蓋体５００の側面を形成する部位であり、底面部５１０の四方を覆う４つの矩形状かつ平板状の側面からなる四角筒形状の部位である。側面部５２０は、対向する２つの外面である第一面５２０ａと第二面５２０ｂとを有している。本実施の形態では、第一面５２０ａは、側面部５２０の４つの外面のうちのＸ軸方向プラス側の外面であり、第二面５２０ｂは、当該４つの外面のうちのＸ軸方向マイナス側の外面である。
【００８５】
ここで、第一面５２０ａ及び第二面５２０ｂは、蓄電素子２００の安全弁２２１からの排気である第一排気を、または、単位モジュール１１に隣り合う単位モジュール（蓄電装置）が備える安全弁からの排気である第二排気を通過させる開口部がそれぞれ形成された２つの外面である。
【００８６】
具体的には、第一面５２０ａには、第一開口部５４２と、２つの第二開口部５４３とが形成されており、第二面５２０ｂには、第三開口部５２１と、２つの第四開口部５２２とが形成されている。
【００８７】
第一開口部５４２は、第一面５２０ａの中央部分に配置された矩形状の貫通孔である。第一開口部５４２は、蓄電素子２００の安全弁２２１からの排気である第一排気を排出する。具体的には、第一開口部５４２は、隣り合う単位モジュール（蓄電装置）が備える安全弁からの排気である第二排気を排出することなく当該第一排気を排出する。詳細については、後述する。なお、第一開口部５４２は、第一蓋体５００内側の開口が後述の排気経路形成部５４０によって覆われている。
【００８８】
第二開口部５４３は、第一開口部５４２の両側方（Ｙ軸方向プラス側及びマイナス側）に配置された矩形状の貫通孔である。第二開口部５４３は、第一排気を排出することなく第二排気を排出する、または、第一排気若しくは第二排気を受け入れる。詳細については、後述する。
【００８９】
第三開口部５２１は、第二面５２０ｂの中央部分に配置された矩形状の貫通孔である。第三開口部５２１は、隣り合う単位モジュールに隣り合う単位モジュール（蓄電装置）が備える安全弁からの排気である第三排気を受け入れることなく第二排気を受け入れる。詳細については、後述する。
【００９０】
第四開口部５２２は、第三開口部５２１の両側方（Ｙ軸方向プラス側及びマイナス側）に配置された矩形状の貫通孔である。第四開口部５２２は、第二排気を受け入れることなく第三排気を受け入れる、または、第一排気若しくは第二排気を排出する。詳細については、後述する。
【００９１】
なお、第一開口部５４２、第二開口部５４３、第三開口部５２１または第四開口部５２２の形状は、四角形以外の多角形状、円形状または楕円形状など、どのような形状であってもかまわない。また、第一開口部５４２または第三開口部５２１は、２つ以上の開口部を有していてもよいし、第二開口部５４３または第四開口部５２２は、１つまたは３つ以上の開口部を有していてもよい。
【００９２】
壁部５３０は、底面部５１０から上方に突出した平板状の壁であり、基板６００の外周を囲うように環状に配置されている。具体的には、壁部５３０は、基板６００の四方を覆う４つの矩形状かつ平板状の側面からなる四角筒形状の部位である。本実施の形態では、壁部５３０は、Ｙ軸方向の方がＸ軸方向よりも壁の幅が長くなるように形成されている。
【００９３】
つまり、壁部５３０は、第一蓋体５００の２つの外面である第一面５２０ａ及び第二面５２０ｂに形成されたいずれかの開口部と基板６００との間に配置される壁である。壁部５３０は、蓄電素子２００の安全弁２２１からの排気が基板６００に流入するのを防ぐために、側面部５２０と同じ高さになるように形成されている。
【００９４】
また、壁部５３０には、配線が挿入される半円形状の壁部側開口部５３１が形成されている。つまり、蓄電素子２００に接続されたリード線などの配線が、底面部５１０に形成された配線用開口部５１１に挿入された後、壁部側開口部５３１にも挿入されて、当該配線が基板６００に接続される。なお、壁部側開口部５３１の大きさ及び形状は、当該配線が挿入できるものであれば特に限定されない。
【００９５】
排気経路形成部５４０は、蓄電素子２００の安全弁２２１からの排気である第一排気を排出するための排気経路を形成する断面（ＸＺ平面で切断した場合の断面）が円弧形状の部材である。排気経路形成部５４０は、両端部が底面部５１０と側面部５２０とに接続されており、排気用開口部５４１と第一開口部５４２とを覆うように形成されている。
【００９６】
つまり、排気経路形成部５４０は、排気用開口部５４１の上側の開口と、第一開口部５４２の内側の開口とを覆うように形成されており、排気用開口部５４１及び第一開口部５４２を介して、第一蓋体５００の内方と外方とが連通しない構成となっている。これにより、第一蓋体５００の内方と外方とが遮断されるため、排気用開口部５４１を通過した蓄電素子２００の安全弁２２１からの排気は、第一蓋体５００の内方へ流入することなく、第一開口部５４２を通過して、第一蓋体５００の外方へ排出される。
【００９７】
次に、単位モジュール１１内における、蓄電素子２００の安全弁２２１からの排気の流れについて、詳細に説明する。
【００９８】
図６は、本発明の実施の形態に係る単位モジュール１１を上下方向に切断した場合の構成を示す断面図である。また、図７は、本発明の実施の形態に係る単位モジュール１１を上方から見た場合の構成を示す平面図である。なお、同図は、第三蓋体７００を透視して示している。
【００９９】
これらの図に示すように、蓄電素子２００の安全弁２２１から第一排気が排出された場合、当該第一排気は、第二蓋体３００に形成された第二蓋体開口部３１０を通って、第一蓋体５００と第二蓋体３００との間の空間に流入する。そして、当該第一排気は、排気用開口部５４１を通って排気経路形成部５４０内の空間に流入し、第一開口部５４２から第一蓋体５００の外方へ排出される。
【０１００】
ここで、第一排気は、排気経路形成部５４０によって、第一蓋体５００の内方へは流入することなく、第一開口部５４２から第一蓋体５００の外方へ排出される。また、排気経路形成部５４０によって、第一蓋体５００と第二蓋体３００との間の空間には、第一蓋体５００の外方から第一排気以外の排気が流入してこない。このため、第一開口部５４２は、第一排気以外の排気を排出することなく第一排気を排出する。
【０１０１】
また、第二開口部５４３からは、第一排気は排出されないが、第一蓋体５００の外方から第一蓋体５００の内方へ流入した第一排気以外の排気が排出される、または、第一排気若しくは当該第一排気以外の排気が流入する。
【０１０２】
また、第三開口部５２１からは、隣り合う単位モジュールの第一開口部５４２から排出された第二排気が流入する。ここで、隣り合う単位モジュールの第一開口部５４２は、第二排気以外の排気を排出することなく第二排気を排出するため、第三開口部５２１からは、第二排気以外の排気が流入することなく第二排気が流入する。
【０１０３】
また、第四開口部５２２からは、第二排気は流入しないが、第二排気以外の排気が流入する、または、第二排気若しくは第二排気以外の排気が排出される。
【０１０４】
なお、本実施の形態では、外装体本体１００の外装体本体開口部１２１は、第三開口部５２１及び２つの第四開口部５２２を覆う１つの大きな開口であるが、第三開口部５２１及び２つの第四開口部５２２に対応した３つの開口が形成されていてもよい。また同様に、外装体本体１００の外装体本体開口部１２２は、第一開口部５４２及び２つの第二開口部５４３を覆う１つの大きな開口であるが、第一開口部５４２及び２つの第二開口部５４３に対応した３つの開口が形成されていてもよい。
【０１０５】
次に、複数の単位モジュール間における、蓄電素子２００の安全弁２２１からの排気の流れについて、詳細に説明する。
【０１０６】
図８は、本発明の実施の形態に係るモジュール群１０を上方から見た場合の構成を示す平面図である。なお、同図は、各単位モジュールの第三蓋体７００を透視して示している。
【０１０７】
同図に示すように、単位モジュール１１、１２及び１３は、隣り合う２つの単位モジュールが有する外装体１４の外面（同図では外装体本体１００の外面）同士が当接するように、隣接して配置されている。なお、隣り合う２つの単位モジュールは、第一蓋体５００の外面同士が当接するように隣接して配置されている構成でもかまわない。
【０１０８】
また、第一蓋体５００の側面部５２０の第一面５２０ａに形成された開口部である第一開口部５４２及び２つの第二開口部５４３と、第二面５２０ｂに形成された開口部である第三開口部５２１及び２つの第四開口部５２２とは、対応する位置に形成されている。また、第一面５２０ａまたは第二面５２０ｂは、隣り合う単位モジュール（蓄電装置）が備える第二面５２０ｂまたは第一面５２０ａと対向するように配置される。
【０１０９】
これにより、隣り合う２つの単位モジュールにおける第一開口部５４２と第三開口部５２１とが接続される。また、隣り合う２つの単位モジュールにおける２つの第二開口部５４３と２つの第四開口部５２２とが接続される。
【０１１０】
ここで、まず、単位モジュール１１における蓄電素子２００の安全弁２２１からの排気を第一排気ｇ１、ｇ２とし、単位モジュール１１に隣り合う単位モジュール１２における蓄電素子２００の安全弁２２１からの排気を第二排気ｇ３、ｇ４とする。また、単位モジュール１２に隣り合う単位モジュール１３における蓄電素子２００の安全弁２２１からの排気を、第三排気ｇ７とする。
【０１１１】
この場合、単位モジュール１１の第一開口部５４２は、第二排気ｇ３、ｇ４を排出することなく、第一排気ｇ１、ｇ２を排出する。また、単位モジュール１１の第二開口部５４３は、第一排気ｇ１、ｇ２を排出することなく、第一排気ｇ１及び第二排気ｇ３を受け入れる。また、単位モジュール１１の第三開口部５２１は、どの排気も受け入れない。また、単位モジュール１１の第四開口部５２２は、第二排気ｇ３、ｇ４を受け入れることなく、第一排気ｇ１及び第二排気ｇ３（排気ｇ５）を排出する。
【０１１２】
次に、単位モジュール１２における蓄電素子２００の安全弁２２１からの排気を第一排気ｇ３、ｇ４とし、単位モジュール１２に隣り合う単位モジュール１１及び単位モジュール１３における蓄電素子２００の安全弁２２１からの排気を第二排気ｇ１、ｇ２、ｇ７とする。
【０１１３】
この場合、単位モジュール１２の第一開口部５４２は、第二排気ｇ１、ｇ２、ｇ７を排出することなく、第一排気ｇ３、ｇ４を排出する。また、単位モジュール１２の第二開口部５４３は、第一排気ｇ３、ｇ４を排出することなく、第二排気ｇ２を排出し、また、第一排気ｇ３を受け入れる。また、単位モジュール１２の第三開口部５２１は、第二排気ｇ１、ｇ２以外の排気を受け入れることなく、第二排気ｇ１、ｇ２を受け入れる。また、単位モジュール１２の第四開口部５２２は、第二排気ｇ１、ｇ２を受け入れることなく、第一排気ｇ３及び第二排気ｇ１を排出する。
【０１１４】
次に、単位モジュール１３における蓄電素子２００の安全弁２２１からの排気を第一排気ｇ７とし、単位モジュール１３に隣り合う単位モジュール１２における蓄電素子２００の安全弁２２１からの排気を第二排気ｇ３、ｇ４とする。また、単位モジュール１２に隣り合う単位モジュール１１における蓄電素子２００の安全弁２２１からの排気を、第三排気ｇ１、ｇ２とする。
【０１１５】
この場合、単位モジュール１３の第一開口部５４２は、第二排気ｇ３、ｇ４を排出することなく、第一排気ｇ７を排出する。また、単位モジュール１３の第二開口部５４３は、第一排気ｇ７を排出することなく、第二排気ｇ４及び第三排気ｇ２（排気ｇ６）を排出する。また、単位モジュール１３の第三開口部５２１は、第三排気ｇ１、ｇ２を受け入れることなく、第二排気ｇ３、ｇ４を受け入れる。また、単位モジュール１３の第四開口部５２２は、第二排気ｇ３、ｇ４を受け入れることなく、第三排気ｇ２を受け入れ、第二排気ｇ３を排出する。
【０１１６】
以上のように、単位モジュール１１〜１３において、第一開口部５４２は、第二排気を排出することなく第一排気を排出する。また、第二開口部５４３は、第一排気を排出することなく第二排気を排出する、または、第一排気若しくは第二排気を受け入れる。また、第三開口部５２１は、第三排気を受け入れることなく第二排気を受け入れる。また、第四開口部５２２は、第二排気を受け入れることなく第三排気を受け入れる、または、第一排気若しくは第二排気を排出する。
【０１１７】
次に、複数の蓄電装置１が配置された場合の、蓄電素子２００の安全弁２２１からの排気の流れについて、詳細に説明する。
【０１１８】
図９は、本発明の実施の形態に係る複数の蓄電装置１が配置された状態を上方から見た場合の構成を示す平面図である。
【０１１９】
同図に示すように、複数の蓄電装置１は、蓄電装置容器２に収容されており、複数の蓄電装置１に備えられた蓄電素子２００の安全弁２２１からの排気Ｇ１は、ファン３によって、排気Ｇ２として蓄電装置容器２の外方へ排出される。
【０１２０】
このように、ファン３による空気の流れ（Ｘ軸方向マイナス側からプラス側への流れ）によって、複数の蓄電装置１内の排気Ｇ１が、蓄電装置容器２の外方へ排出される。なお、ファン３に代えて、排気口が設けられている構成でもかまわない。
【０１２１】
つまり、蓄電素子２００の安全弁２２１からの排気（第一排気）を通過させる開口部が形成された外面である第一面５２０ａは、蓄電装置１外方の排気口（ファン３が配置された排気口）に対向する位置に配置されている。
【０１２２】
以上のように、本発明の実施の形態に係る蓄電装置（単位モジュール）によれば、外装体１４は、蓄電素子２００の安全弁２２１からの排気である第一排気、または、隣り合う単位モジュールが備える安全弁２２１からの排気である第二排気を通過させる開口部がそれぞれ形成された２つの外面を有している。つまり、隣り合う２つの単位モジュールについて、開口部が形成された外面同士を開口部同士が対向するように隣接させて配置することで、排気の経路を形成することができる。このため、単位モジュール間にジョイントなどの部材を配置する必要が無く、簡易な構成で排気の流路を形成することができる。
【０１２３】
また、単位モジュールにおいて、第一面５２０ａには、第一排気を主に排出する第一開口部５４２が形成されているため、第一排気を効率的に排出する流路を形成することができる。
【０１２４】
また、単位モジュール（蓄電装置）において、第一面５２０ａには、第一排気の排出以外に使用される第二開口部５４３が形成されているため、第一排気の排出以外の目的での排気を効率的に通過させる流路を形成することができる。
【０１２５】
また、単位モジュール（蓄電装置）において、第二面５２０ｂには、第二排気を主に受け入れる第三開口部５２１と、第二排気の受け入れ以外に使用される第四開口部５２２とが形成されているため、第二排気の受け入れと、第二排気の受け入れ以外とを区別して、排気を効率的に通過させる流路を形成することができる。
【０１２６】
これらの排気の流れによって、蓄電素子２００からの排気の排出が、他の単位モジュール内の蓄電素子２００からの排気によって妨げられるのを防ぐことができる。また、蓄電素子２００が、他の単位モジュール内の蓄電素子２００からの排気によって加熱されることを防ぐことができる。
【０１２７】
また、単位モジュール（蓄電装置）において、第一面５２０ａまたは第二面５２０ｂに形成された開口部と、隣り合う単位モジュールが備える第二面５２０ｂまたは第一面５２０ａに形成された開口部とは、対応する位置に形成されているため、第一面５２０ａと第二面５２０ｂとが対向することで、開口部同士が接続される。これにより、簡易な構成で排気の流路を形成することができる。
【０１２８】
また、外装体１４は、第一蓋体５００と第二蓋体３００とから構成される蓋体（内蓋）を有しており、当該蓋体によって排気の流路を形成することができるため、簡易な構成で排気の流路を形成することができる。
【０１２９】
また、外装体１４は、当該蓋体によって、蓄電素子２００を上方から押さえ付けることができるため、振動や衝撃などによって蓄電素子２００が外装体１４内で揺れるのを抑制することができる。
【０１３０】
また、排気の流路を形成する第一蓋体５００と、蓄電素子２００を上方から押さえ付ける第二蓋体３００の２つの部材に分けて当該蓋体を構成することで、簡易な構成で当該蓋体を形成することができる。
【０１３１】
また、外装体１４は、当該蓋体によって、基板６００を保持する機能も兼ね備えることができる。
【０１３２】
また、第一蓋体５００は、第一面５２０ａ及び第二面５２０ｂの開口部と基板６００との間に壁部５３０を有しているため、当該開口部から高温の排気が流入してきても、壁部５３０によって、当該排気の熱が基板６００へ与える影響を抑制することができる。
【０１３３】
また、壁部５３０は、基板６００の周りを囲うように配置されているため、当該開口部から流入する高温の排気の熱が基板６００へ与える影響をさらに抑制することができる。
【０１３４】
また、隣り合う単位モジュールは、外装体１４の外面同士が当接するように配置されるため、隣り合う単位モジュール間に、安全弁２２１からの排気を通過させる配管などを配置する必要がない。このため、簡易な構成で、単位モジュールを配置することができる。
【０１３５】
また、第一排気を通過させる開口部が形成された第一面５２０ａは、蓄電装置１外方の排気口に対向する位置に配置される。このため、第一排気は、流れの向きを当該開口部の開口方向に変えて排出されるが、当該開口部を排出された後は、流れの向きを変えずにスムーズに排気口まで流れ出ることができる。
【０１３６】
（変形例１）
次に、上記実施の形態の変形例１について、説明する。図１０は、本発明の実施の形態の変形例１に係る第一蓋体５０１の構成を示す斜視図である。具体的には、同図は、上記実施の形態における図５に対応する図である。
【０１３７】
同図に示すように、本変形例における第一蓋体５０１において、上記実施の形態と同様に、第一面５２０ａには、第一開口部５４２と、２つの第二開口部５４３とが形成されており、第二面５２０ｂには、第三開口部５２１と、２つの第四開口部５２２とが形成されている。
【０１３８】
ここで、本変形例における２つの第二開口部５４３と、第三開口部５２１と、２つの第四開口部５２２とは、貫通孔ではなく、切り欠きである。この構成によっても、第一蓋体５０１の上に第三蓋体７００を載置することで、第二開口部５４３、第三開口部５２１及び第四開口部５２２の上部を閉止することができるため、上記実施の形態と同様の構成となる。なお、その他の構成については、上記実施の形態における第一蓋体５００と同様であるため、詳細な説明は省略する。
【０１３９】
以上のように、本発明の実施の形態の変形例１に係る蓄電装置によれば、上記実施の形態と同様の効果を奏することができる。特に、第一蓋体５０１の外面の開口部を切り欠きにすることで、当該開口部の開口面積を大きくすることができるため、安全弁からの排気の流路を広くすることができる。
【０１４０】
（変形例２）
次に、上記実施の形態の変形例２について、説明する。図１１は、本発明の実施の形態の変形例２に係る第一蓋体５０２の構成を示す斜視図である。具体的には、同図は、上記実施の形態における図５に対応する図である。
【０１４１】
同図に示すように、本変形例における第一蓋体５０２は、上記実施の形態における排気経路形成部５４０が設けられていない。なお、その他の構成については、上記実施の形態における第一蓋体５００と同様であるため、詳細な説明は省略する。
【０１４２】
以上のように、本発明の実施の形態の変形例２に係る蓄電装置によれば、上記実施の形態と同様の効果を奏することができる。特に、第一蓋体５０２には排気経路形成部５４０が設けられていないため、安全弁２２１からの第一排気の流路を広くすることができる。
【０１４３】
（変形例３）
次に、上記実施の形態の変形例３について、説明する。図１２は、本発明の実施の形態の変形例３に係る第一蓋体５０３の構成を示す斜視図である。具体的には、同図は、上記実施の形態における図５に対応する図である。
【０１４４】
同図に示すように、本変形例における第一蓋体５０３は、上記実施の形態における第一蓋体５００の壁部５３０に代えて、壁部５３２を有している。壁部５３２は、基板６００の第二面５２０ｂ側のおよそ半分を覆うように形成されている。なお、その他の構成については、上記実施の形態における第一蓋体５００と同様であるため、詳細な説明は省略する。
【０１４５】
以上のように、本発明の実施の形態の変形例３に係る蓄電装置によれば、上記実施の形態と同様の効果を奏することができる。特に、基板６００が排気による熱の影響を受けやすい第二面５２０ｂ側のみを覆うことで、壁部５３２の構成を簡素化することができるため、生産性の向上及びコスト低減を図ることができる。
【０１４６】
なお、壁部５３２は、基板６００の第二面５２０ｂ側のみを覆うように形成された１枚の板状部材によって構成されていてもよいし、基板６００の第二面５２０ｂ側の一部のみを覆うように形成されていてもかまわない。
【０１４７】
（変形例４）
次に、上記実施の形態の変形例４について、説明する。図１３は、本発明の実施の形態の変形例４に係る第一蓋体５０４の構成を示す平面図である。
【０１４８】
同図に示すように、本変形例における第一蓋体５０４は、上記実施の形態における第一蓋体５００の壁部５３０に代えて、壁部５３３を有している。
【０１４９】
壁部５３３は、排気が流れるＸ軸方向の方がＹ軸方向よりも壁の幅が長くなるように環状に形成されている。つまり、基板６０１が、Ｘ軸方向の方がＹ軸方向よりも長くなるように、第一蓋体５０４に配置されている。なお、その他の構成については、上記実施の形態における第一蓋体５００と同様であるため、詳細な説明は省略する。
【０１５０】
以上のように、本発明の実施の形態の変形例４に係る蓄電装置によれば、上記実施の形態と同様の効果を奏することができる。特に、壁部５３３が、排気が流れる方向の方が長くなるように形成されているため、当該排気が流れる流路を広くすることができる。
【０１５１】
（変形例５）
次に、上記実施の形態の変形例５について、説明する。図１４は、本発明の実施の形態の変形例５に係る第一蓋体５０５の構成を示す斜視図である。具体的には、同図は、上記実施の形態における図５に対応する図である。
【０１５２】
上記実施の形態では、第一蓋体５００の第一面５２０ａと第二面５２０ｂとは対向する位置に配置されていたが、同図に示すように、本変形例における第一蓋体５０５は、第一面５２０ａと第二面５２０ｂとは隣接して配置されている。
【０１５３】
つまり、第一開口部５４２と２つの第二開口部５４３とが形成された第一面５２０ａと、第三開口部５２１と２つの第四開口部５２２とが形成された第二面５２０ｂとは、隣接して配置されている。なお、その他の構成については、上記実施の形態における第一蓋体５００と同様であるため、詳細な説明は省略する。
【０１５４】
以上のように、本発明の実施の形態の変形例５に係る蓄電装置によれば、上記実施の形態と同様の効果を奏することができる。特に、第二面５２０ｂがＹ軸方向の面に配置されているため、単位モジュールをＹ軸方向に並べて配置することができる。
【０１５５】
以上、本発明の実施の形態及びその変形例に係る蓄電装置について説明したが、本発明は、上記実施の形態及びその変形例に限定されるものではない。つまり、今回開示された実施の形態及びその変形例は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。また、上記実施の形態及び上記変形例を任意に組み合わせて構築される形態も、本発明の範囲内に含まれる。
【０１５６】
例えば、上記実施の形態及びその変形例では、第一蓋体５００と第二蓋体３００とは別体で形成されていることとしたが、第一蓋体５００と第二蓋体３００とは一体に形成されていてもよい。
【０１５７】
また、上記実施の形態及びその変形例では、第一蓋体５００に、開口部を有する２つの外面である第一面５２０ａ及び第二面５２０ｂが設けされていることとした。しかし、開口部を有する２つの外面である第一面５２０ａ及び第二面５２０ｂは、外装体本体１００、第三蓋体７００または第二蓋体３００に設けられていることにしてもかまわない。
【０１５８】
また、上記実施の形態及びその変形例では、複数の単位モジュール（蓄電装置）は外面が当接して配置されていることとした。しかし、当該複数の単位モジュール（蓄電装置）は、外面が当接して配置されていなくともよく、少しの隙間を空けて配置されていることにしてもかまわない。
【産業上の利用可能性】
【０１５９】
本発明は、１以上の蓄電素子を外装体に収容した蓄電装置等に適用できる。
【符号の説明】
【０１６０】
１  蓄電装置
２  蓄電装置容器
３  ファン
１０  モジュール群
１１、１２、１３  単位モジュール
１１ａ  正極外部端子カバー
１１ｂ  負極外部端子カバー
１４  外装体
２０  下側連結部材
３０  上側連結部材
１００  外装体本体
１１０  仕切部材
１２１、１２２  外装体本体開口部
２００  蓄電素子
２１０  容器
２２０  容器蓋部
２２１  安全弁
２３０  正極端子
２４０  負極端子
２５０  電極体
２６０  正極集電体
２７０  負極集電体
３００  第二蓋体
３１０  第二蓋体開口部
４１０  正極外部端子
４２０  負極外部端子
４３０  バスバー
４４０  外部配線接続部
４５０  配線経路形成部
５００、５０１、５０２、５０３、５０４、５０５  第一蓋体
５１０  底面部
５１１  配線用開口部
５１２  基板用突起部
５２０  側面部
５２０ａ  第一面
５２０ｂ  第二面
５２１  第三開口部
５２２  第四開口部
５３０、５３２、５３３  壁部
５３１  壁部側開口部
５４０  排気経路形成部
５４１  排気用開口部
５４２  第一開口部
５４３  第二開口部
６００、６０１  基板
７００  第三蓋体
【図１】
2015195137.tif 000003
【図２】
2015195137.tif 000004
【図３】
2015195137.tif 000005
【図４】
2015195137.tif 000006
【図５】
2015195137.tif 000007
【図６】
2015195137.tif 000008
【図７】
2015195137.tif 000009
【図８】
2015195137.tif 000010
【図９】
2015195137.tif 000011
【図１０】
2015195137.tif 000012
【図１１】
2015195137.tif 000013
【図１２】
2015195137.tif 000014
【図１３】
2015195137.tif 000015
【図１４】
2015195137.tif 000016